(57)【要約】【課題】本発明は、携帯ファクシミリ装置に携帯電話を接続設置して置く事により、生活に係わる人達が、携帯ファクシミリ装置の排出口より排出されるファクシミリ用紙記録用と、ファクシミリ用紙に、それぞれ印刷される事で、受信の順番の確認が明確になり、記録の保存、管理が出来る携帯ファクシミリ装置を提供する。【解決手段】携帯ファクシミリ装置に、携帯電話接続設置個所を設ける。携帯ファクシミリ装置用紙カバー内に、ロール状のファクシミリ用紙の設置個所を２箇所設ける。ファクシミリ用紙記録用とファクシミリ用紙の排出口をそれぞれ設ける。排出口より排出されるファクシミリ用紙記録用に、着脱巻取り可能な機能を有する透明カバーを設ける。【選択図】図１
2007020131.tif 000002
【特許請求の範囲】
【請求項１】
携帯ファクシミリ装置に携帯電話接続設置個所を設け、携帯ファクシミリ装置用紙カバー内にファクシミリ用紙設置個所を設け、ファクシミリ用紙記録用とファクシミリ用紙の排出口を設け、排出口より排出されるファクシミリ用紙記録用と、ファクシミリ用紙に、それぞれ印刷される事で、受信の順番の確認が明確になり、記録の保存、管理が出来る携帯ファクシミリ装置。
【請求項２】
携帯ファクシミリ装置用紙カバー内にロール状のファクシミリ用紙設置個所を２箇所設け、ファクシミリ用紙記録用とファクシミリ用紙の排出口を、それぞれ設けた請求項１の携帯ファクシミリ装置。
【請求項３】
排出口より排出されるファクシミリ用紙記録用に、着脱巻取り可能な機能を有する透明カバーを設けた請求項１の携帯ファクシミリ装置。
【発明の詳細な説明】
【技術分野】
【０００１】  本発明は、携帯ファクシミリ装置に携帯電話を接続設置する事により、生活に係わる人達が、携帯ファクシミリ装置の排出口より排出されるファクシミリ用紙記録用と、ファクシミリ用紙に、それぞれ印刷される事で、受信の順番の確認が明確になり、記録の保存、管理が出来る携帯ファクシミリ装置に関するものである。
【背景技術】
【０００２】  従来、アナログ携帯電話機や、デジタル携帯電話機からのファクシミリの受信の普及がされ盛んである。
この携帯ファクシミリ装置に接続する携帯電話の自動受信、手動受信そのものは知られている（特許文献１参照）。
【特許文献１】特許第３３８６６１７号公報
【発明の開示】
【発明が解決しようとする課題】
【０００３】  携帯ファクシミリ装置に接続する携帯電話の自動受信、手動受信には、次のような問題点があった。
携帯ファクシミリ装置に接続する携帯電話の自動受信、手動受信は、使いやすい機能だがその携帯ファクシミリ装置では、１度に１枚のファクシミリ用紙しか受け取れないため、そのファクシミリ用紙が紛失されると、ファクシミリ用紙としての記録の保存、管理が困難になるため、ファクシミリ用紙で受信の順番の確認が明確にならなくなる。
本発明は、以上の問題点を解決し、携帯ファクシミリ装置に携帯電話を接続設置する事により、携帯ファクシミリ装置の排出口より排出されるファクシミリ用紙記録用と、ファクシミリ用紙に、それぞれ印刷される事で、受信の順番の確認が明確になり、記録の保存、管理が出来るようになされたものである。
【課題を解決するための手段】
【０００４】  携帯ファクシミリ装置に携帯電話接続設置個所を設ける。携帯ファクシミリ装置用紙カバー内にロール状のファクシミリ用紙２箇所の設置個所を設け、ファクシミリ用紙記録用とファクシミリ用紙の排出口をそれぞれ設ける。排出口より排出されるファクシミリ用紙記録用に着脱巻取り可能な機能を有する透明カバーを設ける。
本発明は、以上の構成よりなる排出口より排出されるファクシミリ用紙記録用と、ファクシミリ用紙には、印刷される事で、受信の順番の確認が明確になり、記録の保存、管理が出来る携帯ファクシミリ装置である。
【発明の効果】
【０００５】  本発明を使用するたびに、排出口より排出されるファクシミリ用紙記録用と、ファクシミリ用紙には、印刷されたものが順番に出てきて、ファクシミリ用紙記録用は、次々に巻き取られるため、受信の順番の確認が明確になり、記録の保存、管理が出来る。また、印刷されたファクシミリ用紙は、使用者の都合に合わせて切り離すなどの対処ができるので、その場ですぐに対応しなくてもよい。また、着脱巻取り可能な機能を有する透明カバーによりファクシミリ用紙記録用には、残量が視覚で確認出来るため、スペアのファクシミリ用紙の交換どきを明確に知ることが出来る。
【発明を実施するための最良の形態】
【０００６】  以下、本発明の実施の形態を説明する。
（イ）  携帯ファクシミリ装置（１）に携帯電話（２）の接続設置個所（３）を設ける。
（ロ）  携帯ファクシミリ装置（１）の携帯ファクシミリ装置用紙カバー内（４）に、ロール状のファクシミリ用紙記録用（５）とロール状のファクシミリ用紙（６）の設置個所（７）を設ける。
（ハ）  携帯ファクシミリ装置（１）のファクシミリ用紙記録用（５）と、ファクシミリ用紙（６）の排出口（９）をそれぞれ設ける。
（ニ）  携帯ファクシミリ装置（１）のファクシミリ用紙記録用（５）の排出口（９）に、着脱巻取り可能な機能を有する透明カバー（８）を設ける。
本発明は以上の構成よりなる。
本発明を使用する場合は、携帯ファクシミリ装置（１）に、携帯電話（２）の接続設置個所（３）に携帯電話（２）を接続設置し、携帯ファクシミリ装置用紙カバー内（４）に、ロール状のファクシミリ用紙記録用（５）とロール状のファクシミリ用紙（６）を設置個所（７）に設置する。そして、携帯ファクシミリ装置（１）の排出口（９）より、ファクシミリ用紙記録用（５）は、印刷されたものが着脱巻取り可能な機能を有する透明カバー（８）に、次々と巻き取られるため、記録と管理のためにも、無くなるまでそのままにして置くか、使用者の都合に合わせて、すべてを巻き取る。また、ファクシミリ用紙（６）は、使用者の都合に合わせて、切り取って使用することになる。
【実施例１】
【０００７】  車の運転手の場合は、携帯電話をその場ですぐに取らなくても、携帯ファクシミリ装置に携帯電話を接続設置して置けば、排出口より排出されるファクシミリ用紙記録用と、ファクシミリ用紙には、それぞれ印刷される事で、受信の順番の確認が明確になり、記録の保存、管理がなされるので、道路の左側に、急いで寄せて止まる必要が無くなるから、安全かつ正確に対処することが出来る。
移動中の電車の車内でも、携帯ファクシミリ装置に携帯電話を接続設置して置けば、排出口より排出されるファクシミリ用紙記録用と、ファクシミリ用紙には、それぞれ印刷される事で、受信の順番の確認が明確になり、記録の保存、管理がなされるので、正確に仕事の指示を受けることが出来る。
子供を持つ親が携帯電話で話さなくても、携帯ファクシミリ装置に携帯電話を接続設置して置けば、排出口より排出されるファクシミリ用紙記録用と、ファクシミリ用紙には、それぞれ印刷される事で、受信の順番の確認が明確になり、記録の保存、管理がなされるので、犯罪に巻き込まれた時に警察に届け出て、早期解決に役立つことができる。
また、印刷されたファクシミリ用紙記録用は、受信の順番が明確になり、行動の記録、管理に役立てることが出来る。
排出口より排出される印刷されたファクシミリ用紙記録用は、着脱巻取り可能な機能を有する透明カバー内に収められているから、携帯ファクシミリ装置の使用者に来た指示を取り出し、確認する事により、後日の行動予定表などの参考記録として使用でき、管理することが出来る。
以上の事を行うためにも、携帯ファクシミリ装置用紙カバー内に、ロール状のファクシミリ用紙記録用、又は、ロール状のファクシミリ用紙が設置してある事の確認だけは怠らないようにする。
【産業上の利用可能性】
【０００８】  本発明は、携帯ファクシミリ装置に携帯電話を接続設置して置く事により、排出口より排出されるファクシミリ用紙記録用と、ファクシミリ用紙には、それぞれ印刷される事で、受信の順番の確認が明確になり、記録の保存、管理が出来る。そして、携帯ファクシミリ装置に携帯電話を接続設置して、携帯ファクシミリ装置用紙カバー内に、ロール状のファクシミリ用紙記録用と、ロール状のファクシミリ用紙を１箇所でも設置している間は、携帯ファクシミリ装置としての機能を持たせておくことが出来る。
携帯ファクシミリ装置は、携帯電話とは別パーツになっているため、携帯電話の機能利便性は失わない。
以上が、あげられる。
【図面の簡単な説明】
【０００９】
【図１】本発明の斜視図
【図２】本発明の要部拡大の平面図
【図３】本発明の要部拡大の平面図
【符号の説明】
【００１０】  （１）携帯ファクシミリ装置、（２）携帯電話、（３）携帯電話接続設置個所、（４）携帯ファクシミリ装置用紙カバー内、（５）ファクシミリ用紙記録用、（６）ファクシミリ用紙、（７）設置個所、（８）着脱巻取り可能な機能を有する透明カバー（９）排出口
【図１】
2007020131.tif 000003
【図２】
2007020131.tif 000004
【図３】
2007020131.tif 000005